(57)【特許請求の範囲】
【請求項１】
粘着剤が略中央に塗布され縁部を形成するとともに、粘着剤を内側として折り畳み可能に折畳線が形成された基板と、前記粘着剤上に高さが５ｍｍ〜８ｍｍの突起部が剣山状に立設されたネズミ捕獲シートにおいて、隣り合う前記突起部同士が、１５ｍｍの間隔で設けられていることを特徴とするネズミ捕獲シート。
【発明の詳細な説明】
【技術分野】
【０００１】
本発明は、ネズミを捕獲するために用いられるネズミ捕獲シートに関する。
【背景技術】
【０００２】
従来、ネズミ捕獲具としては、ばね力を利用してネズミを挟んで捕獲する、あるいはネズミが餌を取ることにより、扉が遮蔽して閉じ込めるなどの機械的要素を有する捕獲器、あるいは粘着シートに接着させて捕獲するネズミ捕獲シートがある。とくにネズミ捕獲シートは、機械的要素を有する捕獲器と比べて低コスト、かつ簡易に設置できるため、ネズミ捕獲器として多く使用されている。
【０００３】
このようなネズミ捕獲シートは、板状部材に粘着剤を塗布した粘着層を設け、粘着層にネズミを粘着させて捕獲するものが知られており、捕獲効率を向上させるために種々の提案がなされている。
【０００４】
例えば、特許文献１には、折り目を付けて蛇腹状（アコーディオン状）に形成した台紙の表面に粘着剤を塗布したものが開示されている。また、特許文献２には、基板に浮動可能に載置されると共に、少なくとも１点で基板に連結された浮動シートの表面に粘着層を設けたもの、特許文献３には、粘着剤を塗布した凸部を、凸部を外側に向けて台紙に貼り付けたものが開示されている。
【先行技術文献】
【特許文献】
【０００５】
【特許文献１】実公昭５９−０２９４９１号公報
【特許文献２】実用新案登録番号第２５５２８１３号公報
【特許文献３】特開２００２−９５４０１号公報
【発明の概要】
【発明が解決しようとする課題】
【０００６】
しかしながら、ネズミの種類の中でも、クマネズミは、ハツカネズミやドブネズミと共にイエネズミと称され、ハツカネズミやドブネズミと比べて知能が高く、高い学習能力や危険を察知する力を備えている。また、クマネズミは、警戒心が非常に強く、粘着シート上に足を一歩踏み入れる、又は髭や鼻先が粘着シートに当接すると同時に、異常を感じとり退避行動をとる。とくに足裏は、ホコリ、水、又は油などが付着しているため、粘着力が弱く退避され易かった。また、腹部などの体毛がある部位は、体毛が抜ける、又は千切れることで退避され易かった。したがって、粘着シートに触れる部位が、足裏又は体毛を有する部位である場合には退避され易く、上記特許文献１〜３に開示されているネズミ捕獲シートでは、クマネズミを捕獲することは困難であった。
【０００７】
また、本発明者は、クマネズミの特性を鋭意研究した結果、樹上などの高所や足場の悪い環境を走る際に、バランスを保つ目的で尻尾を上下左右に動かしながら走る習性をもつことを見出した。さらに、クマネズミの尻尾は、無毛でその尾長は体長とほぼ同じ長さであるため、尻尾を粘着させることで、粘着シートからの退避率が低下することを見出した。
【０００８】
本発明は、上記の課題に鑑みなされたものであり、クマネズミの習性を利用して、確実に尻尾を粘着させることのできるネズミ捕獲シートを提供することを目的とする。
【課題を解決するための手段】
【０００９】
このため、本発明のネズミ捕獲シートは、粘着剤が塗布された基板と、粘着剤上に複数設けられた突起部を有することを第一の特徴とする。
【００１０】
また、前記基板には、前記基板を折り畳み可能にするための少なくとも２つの折畳線が形成されていることを第二の特徴とする。
【発明の効果】
【００１１】
本発明は、以下の優れた効果を有する。
（１）粘着剤上に複数の突起部を設けているため、クマネズミが突起部を掴みながらネズミ捕獲シート上を通過した際、平衡バランスを保つために上下左右に動かした尻尾を粘着剤に当接させることができる。
（２）接触面が多く、無毛な尻尾を接着させることで、クマネズミがネズミ捕獲シートから退避し難くさせ、捕獲率を向上させることができる。
【図面の簡単な説明】
【００１２】
【図１】本発明の実施形態に係るネズミ捕獲シートを示す斜視図である。
【図２】本発明の実施形態に係るネズミ捕獲シートを示す（Ａ）が平面図、（Ｂ）が側面図である。
【図３】図１のＡ−Ａ方向矢視図である。
【図４】従来のネズミ捕獲シートと、本発明のネズミ捕獲シートによるネズミ捕獲率を比較した図である。
【発明を実施するための形態】
【００１３】
以下、図１乃至図３を参照して、本発明によるネズミ捕獲シートの実施の形態について説明する。図１に示すように、ネズミ捕獲シートは、矩形状に形成された基板１と、基板１の上面に塗布された粘着剤２と、粘着剤上に設けられた複数の突起部３から構成されている。基板１の各縁部１１は、粘着剤２が流出することを防止するため、粘着剤２よりも高く形成されている。縁部１１には、粘着剤２が塗布されず、無塗布部分とされている。縁部１１は、必要に応じて設ければ良く、例えば基板１の上面全てに粘着剤２を塗布し、粘着剤２の上に複数の突起部３を設けた構成としても良い。
【００１４】
基板１の材質は、特に限定されるものではないが、例えばプラスチック等の樹脂、耐水紙やコートボール等の紙、木材、金属など種々の材質を用いることができ、所定の厚みを有し、平板状を保持することができる素材であれば、何れでも使用することができる。また、基板１は、矩形状に形成されているが、平板状であれば良く、例えば円形、三角形、いずれの形状に形成しても良い。基板１は、図２に示すように、長辺方向に対して垂直な２本の平行な折り目１２ａ，１２ｂによって左面部１ａ、ヒンジ部１ｂ、及び右面部１ｃの３区画に分けられており、基板１が、粘着剤２を内側として二つ折りとなるよう構成されている。
【００１５】
粘着剤２の材質は、特に限定されるものではないが、例えばゴム系粘着剤、アクリル系粘着剤、シリコーン系粘着剤、ウレタン系粘着剤などが挙げられ、種々の材質を用いることができる。また、粘着剤２に、一般にネズミ等の小動物の捕獲用に用いられている任意の誘引剤を併用して用いても良い。
【００１６】
粘着剤２の上面には、複数の突起部３が剣山状に立設されている。突起部３は、その高さＨが５ｍｍ〜８ｍｍの円錐体で、図２に示すように、隣り合う突起部３同士が、１５ｍｍの間隔Ｗとなるよう複数設けられている。突起部３は、図示した円錐体のほか、例えば、角錐体や円柱、角柱などの柱体でも良く、長軸状に形成され、その先端部をクマネズミが足で掴むことができるようなサイズ、素材、形状であれば、特に限定されるものではない。突起部３を設ける意義は、クマネズミの平衡バランスが不安定な状態で粘着シート上を通過させ、クマネズミが姿勢を保とうと、尻尾を下げる態勢にさせる点にある。そのため、複数の突起部３の高さＨを一様とするほか、複数の突起部３の高さＨを不揃いに形成しても良い。また、クマネズミの尻尾は、根元直径が約１５ｍｍであり、その形状は、尻尾先端に向かって徐々に縮径しているため、突起部３同士の間隔Ｗを１５ｍｍとすることで、尻尾が突起部３に掛かることなく、粘着剤２に当接させることが可能となる。
【００１７】
複数の突起部３の配置は、とくに限定されるものではないが、上述したように、基板１が折り畳み可能とされている点から、基板１を折り畳んだ際に突起部３同士が干渉しないよう配置されていることが好ましい。
【実施例】
【００１８】
次に、本発明によるネズミ捕獲シートの実施例について説明する。本実施例では、本発明に係るネズミ捕獲シートの性能を確認するため、ネズミ駆除を行う現場において、従来のネズミ捕獲シート（従来品）との捕獲率を比較する性能試験を実施した。具体的には、ネズミによる実害を受けている店舗に協力してもらい、ネズミ捕獲シートをネズミの通路に設置し、定点カメラにて設置場所を所定時間撮影し、ネズミ捕獲シートに足を踏み入れた数と、捕獲された数により捕獲率を算出した。尚、従来品は、市販品を使用した。市販品の形状は、単に粘着層を有する矩形状の粘着シートであり、本発明に係るネズミ捕獲シートは、図１に記載されたネズミ捕獲シートを用いた。結果を図４に示す。
【００１９】
図４に示すように、従来品では、ＴＯＴＡＬ捕獲率が４９．３％という結果を得た。一方で、本発明に係るネズミ捕獲シートは、ＴＯＴＡＬ捕獲率が１００％という結果を得た。したがって、本発明によるネズミ捕獲シートは、従来品と比べて捕獲率が向上していることがわかる。
【００２０】
また、本発明のネズミ捕獲シートによりネズミが捕獲されるまでの説明を行う。ネズミは、突起部３の先端部３ａを足で掴み、ネズミ捕獲シートの上を通過する。その際に、足元の悪さから態勢が不安定となるため、バランスを保とうと尻尾を上下左右に動かしながら進む。その際に、尾先が下がって突起部３間に入り込み、粘着剤２の表面に当接する。したがって、ネズミの足にホコリ、水、又は油などが付着していようと、確実にネズミを捕獲することが可能となる。また、警戒心の強いクマネズミであっても、足や髭が粘着剤２に当接するよりも先に尻尾を粘着させるため、クマネズミが異常を感じとり退避行動をとったとしても、粘着剤２との接触面が多く、かつ無毛な尻尾を粘着させることで、尻尾の脱毛による退避を不可能とさせることができる。
【符号の説明】
【００２１】
１      基板
１ａ    左面部
１ｂ    ヒンジ部
１ｃ    右面部
１２ａ  折り目
１２ｂ  折り目
２      粘着剤
３      突起部
３ａ    先端部
【図１】
0006798658.tif 000002
【図２】
0006798658.tif 000003
【図３】
0006798658.tif 000004
【図４】
0006798658.tif 000005